(57)【特許請求の範囲】
【請求項１】
容器の本体と蓋とに跨って角部に折り曲げ貼着されるタックラベルにおいて、内側面域（１１）は容器表面に接着しない非接着面域であり、該内側面域を除く周囲面域（１２）は容器に対する貼着代となる接着面域であると共に、
前記内側面域（１１）には、２本の切り込み線（Ｓ１，Ｓ１）が、互いに向い合って略縦方向に形成されている一方、前記周囲面域（１２）には、ラベルの左右の端縁（１０）（１０）から内側面域（１１）に向う切り込み線（Ｓ２）（Ｓ２）が内側面域（１１）の左右両側に形成されていることを特徴とする封緘用タックラベル。
【請求項２】
内側面域（１１）は、容器の本体表面に貼着される領域（１Ａ）と蓋の表面に貼着される領域（１Ｂ）とに跨る略中央部に設けられている請求項１に記載の封緘用タックラベル。
【請求項３】
内側面域（１１）の２本の切り込み線（Ｓ１，Ｓ１）のそれぞれの一方端（Ｓ１１）（Ｓ１１）、および周囲面域（１２）の切り込み線（Ｓ２）（Ｓ２）が、本体表面に貼着される領域（１Ａ）に形成されている請求項１又は請求項２に記載の封緘用タックラベル。
【請求項４】
内側面域（１１）の２本の切り込み線（Ｓ１，Ｓ１）のそれぞれの一方端（Ｓ１１）（Ｓ１１）は内向きに変向して向い合っている請求項１ないし３のいずれか１項に記載の封緘用タックラベル。
【請求項５】
内側面域（１１）の２本の切り込み線（Ｓ１，Ｓ１）のそれぞれの他方端（Ｓ１２）（Ｓ１２）は、外向き横方向に変向して周囲面域（１２）内に突出している請求項１ないし４のいずれか１項に記載の封緘用タックラベル。
【請求項６】
周囲面域（１２）に補助切り込み線（Ｓ３）が形成されている請求項１ないし５のいずれか１項に記載の封緘用タックラベル。
【請求項７】
容器の本体と蓋とに跨って角部（ｃ）に、請求項１〜６のいずれか１項に記載の封緘用タックラベルが折り曲げ貼着されていることを特徴とする包装体。
【発明の詳細な説明】
【０００１】
【発明の属する技術分野】
本発明は、医薬品，化粧品，飲食品等を封入された包装体の流通過程における不正開封・内容物の改ざん行為を防止し安全衛生を確保するための封緘用タックラベルおよび該ラベルで封緘された包装体に関する。
【０００２】
【従来の技術】
医薬品，化粧品，飲食品等を容器に封入した包装体の流通過程における不正開封・改ざん行為を防止する封緘手段として、図１０に示すように、タックラベル（１’）を、容器（２０）の本体（２１）と蓋（２２）とに跨って角部（ｃ）折り曲げ貼着し封緘印とすることが広く行なわれている。この場合、ラベル（１’）を貼り付けただけでは、不正に剥離された後、貼り直されると、開封された事実を外観から判別することが困難であり、内容物の改ざん行為を看過される危険がある。その対策として、ラベルのフィルム裏面（フィルムと接着剤層との界面等）に「隠し印刷」を施しておき、ラベルを引き剥がすと、隠し印刷の文字／記号（例えば「開封済み」のメッセージ等）が浮き出るようにしたラベルが提案されている。
【０００３】
【発明が解決しようとする課題】
隠し印刷ラベルは、剥離に伴って生じるラベル表面の明瞭な視覚的変化から不正開封を容易に察知することができ封緘機能に優れている。しかし、このラベルを製作するには、複数種の色インキを多層に積層印刷しなければならず、色印刷インキの消費及び煩瑣な印刷工程の反復およびコストの大幅増等を余儀なくされる。
本発明は、封緘用ラベルとして、比較的簡素な構成を有し剥離に伴う外観の明瞭な変化から不正開封を容易に識別することができ、コスト的にも有利に製作することができるタックラベル及び包装体を提供するものである。
【０００４】
【課題を解決するための手段】
本発明の封緘用タックラベルは、容器の蓋と本体との角部に跨って折り曲げ貼着されるタックラベルにおいて、
内側面域（１１）は容器表面に接着しない非接着面域であり、該内側面域を除く周囲面域（１２）は容器に対する貼着代となる接着面域であると共に、
前記内側面域（１１）には、２本の切り込み線（Ｓ１，Ｓ１）が、互いに向い合って略縦方向に形成されている一方、前記周囲面域（１２）には、ラベルの左右の端縁（１０）（１０）から内側面域（１１）に向う切り込み線（Ｓ２）（Ｓ２）が内側面域（１１）の左右両側に形成されていることを特徴としている。
【０００５】
本発明の封緘用タックラベルは、容器の角部に貼着された後、これを容器表面から引き剥がそうとすると、内側面域（１１）の切り込み線（Ｓ１，Ｓ１）及び周囲面域（１２）の切り込み線（Ｓ２）（Ｓ２）に沿ってラベルが切り裂かれ、ゆがみ・ねじれ及びラベルの部分的な浮き上り等の顕著な形状変化をきたす。このため、ラベルを一旦引き剥がすと、剥離の痕跡を残さないように貼り直す（当初の正常な貼着状態に復元する）ことは不可能であり、その顕著な外観の変化から、包装体の異常（不正開封）を一見して確実に識別することができる。
【０００６】
【発明の実施の形態】
以下、本発明について図面を参照して具体的に説明する。
本発明の封緘用タックラベルのラベル面は、図１に示すように内側面域（１１）と周囲面域（１２）とからなり、内側面域（１１）のまわりは周囲面域（１２）に囲まれている（図中の鎖線１３はその面域１１と１２の境界を示している）。ラベル（１）の縦方向における一方の側（１Ａ）は、容器本体（２１）の表面に貼着される部分（「本体面貼着域」）、他方の側の領域（１Ｂ）は蓋（２２）の表面に貼着される部分（「蓋面貼着域」）であり、中間帯域（１Ｃ）は容器の角部（ｃ）に重なる部分（折曲げ域）である。
【０００７】
また、本発明のラベル（１）は、図２に示すように、基材フィルム（２），接着剤層（３）及び非接着剤層（４）からなる積層構成を有する。接着剤層（３）は基材フィルム（２）の裏面全体に塗布されている一方、非接着剤層（４）は、内側面域（１１）の位置とその平面形状（図１の鎖線１３）に一致して、接着剤層（３）のうえに積層塗布されている。従って内側面域（１１）は、容器表面に対し非接着であり、容器表面に対する取付けは、周囲面域（１２）を貼着代として行なわれる。なお、内側面域（１１）の裏面を非接着性とするための構成として、上記構成（非接着剤層４の積層塗布）に代え、その面域に対する接着剤層（３）の塗布を省略した構成が採用される場合もある。
【０００８】
図３は、本発明タックラベルの面域構成と各面域における切り込み線の形設パターンの例を示している。この例における内側面域（１１）は、ラベルの略中央部（折曲げ域１ｃと重なる位置）に設けられている。内側面域（１１）には、２本の切り込み線（Ｓ１，Ｓ１）が左右に向い合って略縦方向に形成されている。他方周囲面域（１２）には切り込み線（Ｓ２）（Ｓ２）が、内側面域（１１）をはさむ左右両側に位置して、ラベル縁端（輪郭線）（１０）（１０）から内側面域（１１）に向って形成されている。その一方端（Ｓ２１）（Ｓ２１）はラベルの左右の縁端（１０）（１０）に指向し、他方端（Ｓ２２）（Ｓ２２）は内側面域（１１）に指向している。
【０００９】
周囲面域（１２）に形成されている切り込み線（Ｓ２）（Ｓ２）は、ラベルが不正剥離される場合の剥離に伴うラベルの破れ（切り裂き）を内側面域（１１）に向って誘導し、その切り裂きは内側面域（１１）の切り込み線（Ｓ１，Ｓ１）につながる。内側面域（１１）は非接着面域であるため、その切り裂きに伴って内側面域（１１）の一部（切片切り込み線Ｓ１，Ｓ１にかこまれた部分）に容器表面からの浮き上りが生じる。剥離に伴うこのような形状変化を効果的に生起させるために、内側面域（１１）の２本の切り込み線（Ｓ１，Ｓ１）の一方端（Ｓ１１）（Ｓ１１）及び周囲面域（１２）の切り込み線（Ｓ２）（Ｓ２）は、ラベル面の縦方向の同じ側の領域（本体面貼着域１Ａ）に形成するのが好ましい。
【００１０】
周囲面域（１２）には、切り込み線（Ｓ２）（Ｓ２）のほかに、付加的措置として補助切り込み線（Ｓ３）が形成される。図３は、補助切り込み線（Ｓ３）として、短寸の切り込み線（Ｓ３１）と×印状の切り込み線（Ｓ３２）を、本体面貼着域（１Ａ）及び蓋面貼着域（１Ｂ）に形成した例を示している。切り込み線（Ｓ３１）はラベル端縁（１０）の複数個所に形成され、×印状の切り込み線（Ｓ３２）は端縁（１０）から離れて形成されている。このような補助切り込み線（Ｓ３）を設けることは、不正の剥離がなされたときの外観の形状変形を強め、剥離後の再貼着（剥離前の貼着状態の復元）の防止効果を高めるのに役立つ。
【００１１】
図４は、本発明の他の例を示している。このタックラベル（１）は、内側面域（１１）を、折曲げ域（１Ｃ）より下側に片寄らせ、本体面貼着域（１Ａ）内に設けている点で前記図３のものと相違しているが、この相違点を除いて、図３のラベルと同じであり、内側面域（１１）に２本の切り込み線（Ｓ１，Ｓ１）が向い合って縦方向に形成され、周囲面域（１２）には切り込み線（Ｓ２）（Ｓ２）および補助切り込み線（Ｓ３）（Ｓ３１，Ｓ３２）が設けられている。
【００１２】
図７は、本発明のラベルを箱容器（２０）の角部（ｃ）に折り曲げ貼着した状態を示している。この包装体を不正に開封しようとして、貼着されたラベル（１）の下側周辺（Ｆ）の容器表面を指で押さえながらラベルを引き剥がそうとすると、ラベルは周囲面域（１２）の切り込み線（Ｓ２）に沿って切り裂かれる。ラベルの破れは、切り込み線（Ｓ２）に誘導されて内側面域（１１）内に進むと共に、内側面域（１１）において２本の切り込み線（Ｓ１，Ｓ１）につながり、その一方端（Ｓ１１，Ｓ１１）の間が切り裂かれる。内側面域（１１）は非接着面域であるため、一方端（Ｓ１１，Ｓ１１）の間が切り裂かれると、図８に示すように、切り込み線（Ｓ１，Ｓ１）にはさまれたヒレ状片（ｆ１）が容器表面から浮きあがる。
【００１３】
また、ラベル（１）を上下方向から引き剥がそうとした場合は、まず補助切り込み線（Ｓ３）（Ｓ３１，Ｓ３２）が切り裂かれる。ラベルの破れ（切り裂き）に伴ってラベルのゆがみ・ねじれが生じ、そのラベル形状の変形は、切り込み線（Ｓ２）（Ｓ２）及び切り込み線（Ｓ１，Ｓ１）等が分散形成されていることにより強められる。
このように容器表面に貼着されたラベル（１）をどの部分又はどの方向から引き剥がそうとしても、ラベルのゆがみ・変形や部分的浮き上り等、外観形状の顕著な変化を引き起こす。このため、一旦剥離したラベル（１）を、もとの正常な貼着状態に貼り直すことは不可能である。
【００１４】
更に、不正開封の行為として、ラベルを剥離する上記方法に代え、容器の角部（ｃ）の稜線に沿って鋭利な刃物（薄刃カミソリ等）でラベルを切断することも予想されるが、この不正行為に対しては、内側面域（１１）を中央部に設けたラベル（図３はその例である）を使用し、前記図７のように内側面域（１１）が容器の角部（ｃ）を跨ぐように折り曲げ貼着すればよい。このように貼着しておけば、角部の稜線に沿って切断する行為が加えられた場合、図９に示すように、内側面域（１１）（非接着面域である）の切り込み線（Ｓ１，Ｓ１）でかこまれた部分がヒレ状切片（ｆ２）となって浮き上る。この異常変形により、周囲面域（１２）に異常がなくてもラベルの封緘異常を容易に視認することができる。
【００１５】
本発明ラベルの内側面域（１１）に設けられる２本の切り込み線（Ｓ１，Ｓ１）は、図３，図５，図６等に示したように、その一方端（Ｓ１１）を内向き（互いに向い合って近接する向き）に変向させた形状とするのが好ましい。このような内向き形状とすることは、前記図８に示したラベルの形状変化（切り込み線Ｓ１，Ｓ１部分がヒレ状切片ｆ１となって浮き上る形状変化）を生じ易くし、封緘異常の視覚的効果を高めるのに有効である。
【００１６】
また、内側面域（１１）の切り込み線（Ｓ１，Ｓ１）の他方端（Ｓ１２，Ｓ１２）を、図示のように外向き（横方向）に変向させ、周囲面域（１２）内に突出した形状とすることは、商品購入者が容器を開封する際のラベル（１）の切り裂きを容易化するのに有効である。なお、切り込み線（Ｓ１，Ｓ１）は、ハ字状に傾斜対向した形態（図３，図４，図６等）のほか、図５に示すように、略平行に向い合った形状であってもよい。
【００１７】
他方、周囲面域（１２）に形成される切り込み線（Ｓ２）（Ｓ２）は、図３〜図６に示すように屈曲ないし湾曲もしくは波うち状の曲線とするのが好ましい。このような曲線形状により、伸直の線（例えば水平の直線）として形成される切り込み線に比べて、不正剥離の際に生じるラベル面のゆがみ・ねじれの形状変化が助長されるので、不正剥離後の貼り直しを阻止する効果を高めることができる。
【００１８】
周囲面域（１２）の切り込み線（Ｓ２）（Ｓ２）のそれぞれは、一方端（Ｓ２１）から他方端（Ｓ２１）まで連続するスリットとして形成することもできるが、図３，図５，図６のように比較的長い線長の切り込み線を形成する場合は、図示のように、途中に不連続点（切り込まれていない部分）（Ｓ２０）を設けておくのが好ましい。不連続点（Ｓ２０）を設けることは、例えば、商品流通過程において、ラベル（１）の表面に押圧力（手で把持したときの指先の押付け等）が加わったときの破れ（切取り線に沿った切り裂き）を防止するのに有効である。不連続点（Ｓ２０）は１個所又は適宜間隔をおいて複数個所に設けられる。
【００１９】
本発明ラベルの平面形状は、図示の矩形状に限定されず、円形（真円，長円等）、多角形状、星型形状など種々の形状とすることができる。
基材フィルム（２）および接着剤層（３）は、通常のタックラベルのそれと同様のものであってよい。例えば、基材フィルム（２）として二軸延伸ポリプロピレンフィルム（肉厚は例えば５０μｍ）が使用される。このものは切り込み線をきっかけとして裂け易い性質を有するので基材フィルム（２）として好適である。
【００２０】
また、接着剤層（３）は感熱性又は感圧性接着剤等が使用される。他方、非接着面域を形成するための、接着剤層（３）に積層される非接着剤層（４）はシリコーン樹脂系離型剤等の公知の剤種を使用すればよい。なお、非接着面域の形成は、非接着剤層（４）を積層塗布する構成に代え，前述したように接着剤層（３）の塗布を局所的に省略した構成（従ってこの場合は非接着剤層４の積層塗布は不要となる）を採用することもできる。
【００２１】
本発明の封緘用タックラベルは、非接着剤層（４）の積層塗布（又は接着剤層４の局所的省略）および切り込み線（Ｓ１）（Ｓ２）（Ｓ３）等の形設工程を必要とするが、隠し印刷構造のような煩瑣な印刷工程を必要とせず、切り込み線の形成もフィルム移送ラインにおける回転刃物の転写により効率よく行なわれるので、コスト的に有利に製作することができる。
【００２２】
【発明の効果】
本発明の封緘用ラベルは、容器表面から引き剥がそうとすると、切り込み線に沿って破れ、ラベル面のねじれ・ゆがみを生じると共に、ラベル面の一部が浮き上がるという顕著な形状変化を生じ、再貼着しても当初の正常な貼着状態を復元することができない。このためラベル外観の異常の有無を明確に視認することができ、外観の形状変化から封緘の異常を察知し、形状に異変がなければ封緘状態が保持されていると明確に判断することができる。従って医薬品，化粧品，飲食品等の包装体の封緘印として好適である。また、本発明の封緘用ラベルの製作は、隠し印刷構成のラベルのような複雑煩瑣な工程を必要とせず、コスト的にも有利である。
【図面の簡単な説明】
【図１】本発明ラベルの面域構成を示す斜視説明図である。
【図２】本発明ラベルの積層構成を示す側面説明図である。
【図３】本発明ラベルの例を示す正面図である。
【図４】本発明ラベルの例を示す正面図である。
【図５】切り込み線の他の形状例を示す要部正面図である。
【図６】切り込み線の他の形状例を示す要部正面図である。
【図７】本発明ラベルを折り曲げ貼着した封緘状態の例を示す外観斜視図である。
【図８】本発明ラベルに不正行為が加えられたときの外観変化の例を示す斜視図である。
【図９】本発明ラベルに不正行為が加えられたときの外観変化の例を示す斜視図である。
【図１０】タックラベルの折り曲げ貼着状態を示す要部斜視図である。
【符号の説明】
１，１’：タックラベル
２：基材フィルム
３：接着剤層
４：非接着剤層
１１：内側面域
１２：周囲面域
１３：内側面域と周囲面域の境界
１０：ラベル縁端（輪郭線）
１Ａ：容器の本体に対する貼着面域
１Ｂ：容器の蓋に対する貼着面域
１Ｃ：容器の角部に重なる帯状域
Ｓ１：内側面域の切り込み線
Ｓ１１：切り込み線Ｓ１の一方端
Ｓ１２：切り込み線Ｓ１の他方端
Ｓ２：周囲面域の切り込み線
Ｓ２１：切り込み線Ｓ２の一方端
Ｓ２２：切り込み線Ｓ２の他方端
Ｓ２０：切り込み線の不連続点
Ｓ３，Ｓ３１，Ｓ３２：補助切り込み線
ｆ１，ｆ２：内側面域のヒレ状切片
２０：容器
２１：本体
２２：蓋
Ｃ  ：容器と蓋の角部
【図１】
0004575629.tif 000002
【図２】
0004575629.tif 000003
【図３】
0004575629.tif 000004
【図４】
0004575629.tif 000005
【図５】
0004575629.tif 000006
【図６】
0004575629.tif 000007
【図７】
0004575629.tif 000008
【図８】
0004575629.tif 000009
【図９】
0004575629.tif 000010
【図１０】
0004575629.tif 000011